(57)【要約】【課題】  手櫛し感覚で容易に毛髪をカールできるヘアーアイロンを提供する。後頭部の毛髪、耳たぶ近辺の毛髪などの狙った箇所の毛髪を、手漉きのような動作で毛髪の根元から形作りやすく、かつ従来品のように耳たぶなどに接触する危険性が少ないヘアーアイロンを提供する。【解決手段】  手袋に着脱可能なヒーターのいずれかまたは両方が、凹条、凸状または平面状または円筒状であるヒーターを備えたヘアーアイロンで、あらゆる髪癖にも対応できるヘアデザインが可能となった。また、温度制御可能な整髪用温熱手袋を使用することにより、熱放散を避け比較的低温でヘアカールすることが可能となる。  同時に温熱手袋に着脱できる小風量温風ブロワーにより、従来品のような騒音が発生しないため、静寂な環境でテレビを見ながらヘアカールをすることができる。  また、マイナスイオンブラシ効果をもつ手袋装着型ヒーターにより、速乾性と保湿効果を同時に実現できる。【選択図】図１
2007160038.tif 000002
【特許請求の範囲】
【請求項１】
手袋の指先に着脱式ヒーターを備えたヘアーアイロン
【請求項２】
凹状または凸状または平面状または円筒状のヒーターを備えた、請求項１記載のヘアーアイロン
【請求項３】
温度制御可能な整髪用温熱手袋を使用する、請求項１記載のヘアーアイロン
【請求項４】
熱源と送風機能を分離した温熱手袋整髪器を使用する、請求項１記載のヘアーアイロン
【請求項５】
手袋の指先に着脱式イオンブラシ効果ヒーターを具備した、請求項１記載のヘアーアイロン
【発明の詳細な説明】
【技術分野】
【０００１】  本発明は手袋着脱式ヘアーアイロンに関する。また本発明は、手袋に着脱可能な凹凸、平面、円筒状ヒーターを備える手袋着脱式ヘアーアイロンに関する。さらに詳細には、熱源と送風機能を分離した温熱手袋整髪器を使用するヘアーアイロンおよび、熱源と送風機能を分離した温熱手袋整髪器を使用するヘアーアイロンに関する。
【背景技術】
【０００２】  現在市販されているヘアーアイロンの形状は、概ね手指よりも長く、また手指から離れているために、頭髪の一部分を束ねて、その箇所にヘアーアイロンを当てる動作において、頭髪のすべての箇所を熱して、頭皮や耳たぶに接触することによるやけどを防止しつつ、頭髪の全ての部分をカールさせる作業は困難を伴うものである。
たとえば、特開２００３−３１０３３９では、対向配置した第一、第二の挟み腕を持ち、いずれの挟み腕も長い形状をしている、と想定される。市販のアイロン形状は各種あろうが、このように長い形状のものがほとんどであり、上記のような問題点を抱えている。【０００３】  また、上記のような細長い形状のヘアーアイロンを使用した場合には、頭髪を挟み込みかつ高いテンションを掛ける状態でヘアカールさせるため頭髪が痛みやすい上、Ｃにカールするだけではカールが開放されやすいばかりか、ヘアーアイロンの熱が放散されるため、必要以上に高熱を長時間頭髪に与える結果となる。また、従来のブロワーでは高温の温風で毛髪を乾燥したりまたはカールさせたりするために、頭髪が傷みやすい。【０００４】  さらに、従来は片手にヘアーアイロンを保持し、もう一方の手で毛髪を支えながらカールさせるため、別の箇所の毛髪を束ねる場合には、ヘアーアイロンを一度手から離して作業台などに置き、両手で毛髪を束ねた後ヘアーアイロンを再び片手に保持しなおす必要があり、この動作を整髪作業中何十回も繰りかえすという非効率性を伴うものであった。【０００５】  ヘアデザインでは長年の経験を持ち、業界の指導者である発明者の作業経験をもってしても、耳を覆う長い頭髪の狙った部分のみを束ねて、耳たぶの後ろ側の頭髪のねらった箇所のみにヘアーアイロンをあてて頭髪を加熱することは極めて困難であり、ヘアーアイロンが耳たぶに接触してやけどするという事故が多く発生している。さらに、従来のヘアーアイロンは手指よりも長く手から離れているため、ヘアーアイロンを束ねた頭髪の根元に当てる動作には困難を伴うばかりか、頭皮に接触してやけどを負わせる危険性を伴うなど、ヘアーアイロンの安全性向上はヘアデザイン業界指導者の長年の懸案であった。【０００６】  今日、市場には消費者向け小型ヘアードライヤーが数多く市販されている。家庭においてはテレビを見ながらまたは音楽を聴きながらヘアードライヤーを掛けたいというニーズが多いが、市販のヘアードライヤーは騒音が大きくテレビの音声を聞き分けることが困難であるため、テレビを見ながらヘアードライヤーを掛けることを諦めて、テレビを見３  作とヘアードライヤーを掛けるという動作を別々に行う必要があった。このため、朝の忙しい時間帯に女性が寝癖なおしやヘアカールの作業等に長時間を要しており、従来のヘアードライヤーには満足していなかった。
発熱体と送風機能とが一体であり同時に効率性をも求めれば大風量を出さざるを得ないため、市場のほとんどのヘアードライヤーは騒音が高く、消費者の満足を得るような静寂性を実現できないという欠点があった。
手の平から温冷風を吹き出すヘアドラーヤーは類似のものがある。たとえば、特開２００３−４７５２０では、温風を送風管を通して送られるが、本発明はガスボンベから送られた冷風を温熱手袋の熱で温風に変える点に特徴がある。
さらに簡単なものとして、特開２００２−３３６０３４がある。これは速乾ヘアードライヤーと称しているが、吸水性の高い生地を使った手袋であり、本発明とは本質的に似て非なるものである。
【特許文献１】  特開２００３−３１０３３９号広報
【特許文献２】  特開２００３−４７５２０号広報
【特許文献３】  特開２００３−４７５２０号広報
【発明の開示】
【発明が解決しようとする課題】
【０００７】  本発明の課題は、従来の細長い形状のヘアーアイロンによる作業困難性を解消し、取り扱いが極めて容易でしかも頭髪の根元から自然なカール形状を得られる、作業性がよく安全なヘアーアイロンを提供することである。【０００８】  また、細長い形状のヘアーアイロンに起因する高いテンションと、高温により発生する頭髪の傷みを解消する整髪用具を提供することである。【０００９】  同時に、長い形状のヘアーアイロンは、ヘアカール作業中何度もヘアーアイロンを手放すために作業が非効率であった。本発明ではこの非効率性を解消するため、両手作業可能な整髪器具を提供する。【００１０】  また、ヘアデザイン業界関係者の長年のなやみであった、「耳たぶをやけどさせる」恐れがない手袋着脱式ヘアーアイロンを提供し、もってヘアデザイン業界長年の懸案である安全性を高めた整髪器具を提供する。もって、ヘアデザイン業界の信頼性向上に寄与する。【００１１】  さらには、テレビをみながら毛髪を乾燥したりカールしたりという作業を可能にする、静穏な整髪器具を提供する。もって、消費者の不満を解消する。
【課題を解決するための手段】
【００１２】  上記の諸課題を解決するため、手袋の指先に着脱可能なヒーターを備えた、請求項１の手袋着脱式ヘアーアイロンを発明した。これにより、手袋着脱式ヒーターで頭髪を巻き込みながら、手櫛感覚で頭髪の根元から容易にヘアカールする動作が可能となる。【００１３】  また請求項２では、手袋に着脱可能なヒーターとして、凹状または凸状または平面状または円筒状のヒーターを、選択できるようにした。何故ならば、頭髪の性状には大きな違いが見られるからである。一つは、年齢や性別に拘らず、おそらくは多分に遺伝的な因子により、頭髪の太さや硬さ、巻き毛・縮れ毛などの形状に大きな差異が観察される。また加齢とともに、頭髪の太さは細くなりかつ柔らかくなる傾向が強い。したがって、従来のように形状が一種類しかないヘアーアイロンではすべての顧客のヘアデザインに対する要望を満たすことは不可能であった。
これを解消するため、請求項１の追加機能として、ヒーター形状として、図２、図３、図４、図５のような凹状、凸状、平面状または円筒状ヒーターを交換しまたは選択できるようにしたものが請求項２の発明である。【００１４】  請求項３の温度制御可能な整髪用温熱手袋は、導電性金属やカーボン繊維を織り込んだ通電可能な織布を使用して手袋を縫製したもので、手袋の端部に通電用電線があり温度制御コントローラーで温度を制御することができるものである。【００１５】  請求項４は、温度制御可能な整髪用温熱手袋の手の平部分より、酸素ガスボンベから送られた酸素を噴出する着脱可能な噴出孔を備えたブロワーである。なお、当該ガスは酸素ガスに限定されない。温度制御可能な整髪用温熱手袋と手の平着脱式ブロワーの組合せにより、加熱機能と送風機能を分離したために、市販のブロワーに比べて少ない風速・風量と低い温度で毛髪を乾燥することができるため、ブロワーによる騒音を格段に低減できた。【００１６】  請求項５は、請求項２の円筒状ヒーターの外周にマイナスイオン効果をもつブラシを埋め込んだものである。図６のように、円筒状ヒーターの外周の半円状にイオン効果ブラシを埋め込むことにより、手櫛動作によるヘアカール作業において、ヘアカール作業中頭髪に発生する静電気を本発明品により逃がしなめらかでつやのあるヘアデザイン効果を実現した。
【発明を実施するための最良の形態】
【００１７】  以下、本発明の実施の形態を図１〜図８に基づいて説明する。【００１８】  請求項１の手袋の指先に着脱可能なヒーターを具備したヘアーアイロンは、図１に示すように、左右いずれかの手にはめた手袋の二本の手指に着脱式ヒーター１ａ，１ｂを装着したものである。１ａ，１ｂの間に頭髪を巻き込みながら、もう一方の手を添えて手櫛感覚で毛髪の根元からヘアカールする動作が可能となることが出来るものである。【００１９】請求項２では、手袋の指先に着脱するヒーター１ａまたは１ｂとして、図２の凹状または図３の凸状または図４の平面状または図５の円筒状ヒーターを頭髪の状況に応じて選択するものである。図２，３、４，５で明らかなように、いずれのヒーターも指先にすっぽり嵌まる円筒状指筒２ｘ，３ｘ，４ｘ，５ｘの外側に設置され、断熱板２ｃ，３ｃ，４ｃ，５ｃ，平面ヒーターを使用した発熱板２ｄ，３ｄ，４ｄ，５ｄおよび均熱板２ｅ，３ｅ，４ｅ，５ｅ，の三層構造をもつことを特色とする。均熱板はヒーター部材の熱を均等に分布させることが出来る。図１の１ａ、１ｂは商用交流電源２につながれたコントローラー３により温度制御する。【００２０】  同じく図１において、請求項３の温度制御可能な整髪用温熱手袋４は、導電性金属線５を織り込んだ通電可能な織布を使用して手袋を縫製したもので、手袋４の端部に通電用電線５が手袋の外部に出ておりコントローラー３で温度を制御することができるものである。コントローラー３は１ａ、１ｂヒーターのコントローラーと共用である。【００２１】  請求項４の、熱源と送風機能とを分離した温熱手袋型温風整髪器とは、図１に示すように、ガスボンベ６から供給されるガスを低圧チューブ７と結合した、温熱手袋の手の平部分に装着された着脱可能なガス噴出装置８からガスを送風することにより、低圧ガスが温風となり、比較的低い温風でヘアーブロー作業を行える整髪機器である。ガス噴出装置は圧着テープ９で手袋に着脱できる構造である。ガス圧力およびガス流量はそれぞれ、圧力調節器１０、流量調節バルブ１１により調節する。【００２２】  請求項５の発明は、図６に示すとおり、温熱手袋（図１の４）の指先に着脱可能な円筒状ヒーターの指筒６ｘの外周に、内側より断熱板６ｃ、発熱板６ｄ、均熱板６ｅの三層構造をもつことを特色とし、均熱板にイオンブラシ１０を半円の放射状に多数埋め込んだ構造をもつことを特色とする。
【発明の効果】
【００２３】  今までは長いヘアーアイロンとブラシを持ちながら毛束をカールさせる動作を継続する場合には、次の毛束をつくりときにヘアーアイロンとブラシを一度手放してから毛束をダックカールで束ね直して、再びヘアーアイロンとブラシを手に取り再度毛髪にドライヤーを掛ける。この動作を何度も繰り返す必要があった。
【００２４】  これに比べ、本発明の請求項１の発明によれば、片手に手袋の指先に着脱可能なヒーターを具備したヘアーアイロンを使用し、このヒーターで毛髪を巻き込みながら、もう一方の手を用いて、手櫛感覚で毛髪の根元から毛髪に自由に髪型をつける動作が可能となった。
片手の手袋着脱式ヘアーアイロンで毛髪を整髪すると同時に、もう一方の手を添える動作により、両手の手の平に包みこむ状態で加熱保温しながらヘアカールできるため、熱放散が少なく比較的低温でかつほとんどテンションのない手櫛動作でヘアカールすることが可能となる。また、ヘアーアイロンを手放すことなく、この作業を何度でも繰返し行えるため、作業効率が格段に改善した。
【００２５】  同時に耳たぶや頭皮に接触する危険性が大幅に減少した。このような安全な作業は従来のヘアーアイロンでは非常な困難を伴う作業であった。請求項１の発明により、ヘアデザイン業界の長年かつ重大な懸案であった安全作業が現実のものとなった。ヘアデザイン業界の信頼性ならびに安全性向上に寄与する重要な発明である。
【００２６】  本発明の請求項２の発明は、請求項１のヘアーアイロンにおいて、手袋の指先に凹凸状または平面状または円筒状ヒーターを備えることにより、毛髪の多寡や太さ更には頭髪の縮れ具合に応じてアイロン形状を選択することにより、顧客のあらゆる頭髪形状とヘアデザインの細かい要求に応じることが出来るものである。同時に、毛髪の多寡・太さや、カール形状に応じた作業が可能となり、毛髪に掛かるテンションを低減することができ頭髪の傷みを少なくする効果が向上した。
【００２７】  請求項３の発明は、手袋着脱式ヒーターでヘアカール作業を行う場合に、手袋自体から発熱させることにより、カール作業をさらに効率よく、しかも両手作業での熱放散を極めて少なくすることで比較的低温のヘアーアイロンでも、請求項１のみの場合と比較して更に自然で痛みの少ないヘアカールを実現したものである。
【００２８】  請求項３の発明により、温度制御可能な温熱手袋を提供することが可能となり、従来課題とされてきた毛髪のテンションによる傷みを軽減することが可能となった。これにより、頭髪の寝癖をとるような作業は、この温熱手袋だけで可能となった。更には、年配層など毛髪が非常に細くなり結果として抜けやすく傷みやすいという欠点を抱えているばかりか、頭皮も薄く高血圧などの高齢者にも頭皮に高熱を掛ける心配をせずとも、容易にかつ安全に、低温でテンションを掛けずにヘアカールすることが可能となった。
【００２９】  請求項３の発明により、片手に請求項１のヘアーアイロンを持ち、もう一方の手に請求項３の温熱手袋を使用することにより、両手の手櫛感覚で毛髪をカールできるため、毛髪にテンションを掛けることなく比較的低温で毛髪にソフトなカール形状がえられるという効果を増進させるものである。更には、請求項１のヘアーアイロンと請求項３の温熱手袋を左右いずれの手に持ち替えることもできるため、右利き・左利きのいずれでも、左右後頭部や左右耳たぶの後ろ側など、自由かつ安全にヘアカールすることが可能となった。
【００３０】  請求項４の発明では、手の平着脱式ブロワーの実現により、少ないし風量でしかも静かな温風で、狙った部分の毛髪のみを、かつ毛髪の根元から乾かしたりカールしたりすることが出来るため、少ない風量でやさしいカールを形づくることが出来る。そのため、テレビをみながら毛髪を乾燥したりヘアカール作業をしたりすることが可能となった。
【００３１】  請求項５の発明は“イオンブラシ効果円筒ヒーターを備えた温熱手袋”であり、毛髪を温熱手袋で包み込む動作に加えて、マイナスイオン効果をもったブラシで水の分子を７く分解することにより毛髪を早く乾燥させることができる。さらに、マイナスイオン効果でキューテイクルから毛髪の中に水分が入りやすい環境が保持されることにより、速乾性と保湿効果とを同時に可能とする画期的な作業法を提供することができる。
【図面の簡単な説明】
【００３２】
【図１】請求項１：手袋の指先に着脱可能なヒーターを具備する手袋装着型ヘアーアイロン
【図２】請求項２：手袋の指先に着脱可能な凹状ヒーター
【図３】請求項２：手袋の指先に着脱可能な凸状ヒーター
【図４】請求項２：手袋の指先に着脱可能な平面状ヒーター
【図５】請求項２：手袋の指先に着脱可能な円筒状ヒーター
【図６】請求項５：着脱式イオンブラシ効果ヒーター
【符号の説明】
【００３３】１ａ  着脱式ヒーター
１ｂ  着脱式ヒーター
２  商用交流電源
３  温度制御コントローラー
４  温度制御可能な温熱手袋
５  温熱手袋通電線
６  ガスボンベ
７  低圧チューブ
８  送風機構
９  圧着ベルトバンド
１０  圧力調節器
１１  流量調節器
２ｘ  円筒状指筒
２ｃ  断熱板
２ｄ  発熱板
２ｅ  均熱板
３ｘ  円筒状指筒
３ｃ  断熱板
３ｄ  発熱板
３ｅ  均熱板
４ｘ  円筒状指筒
４ｃ  断熱板
４ｄ  発熱板
４ｅ  均熱板
５ｘ  円筒状指筒
５ｃ  断熱板
５ｄ  発熱板
５ｅ  均熱板
６ｘ  円筒状指筒
６ｃ  断熱板
６ｄ  発熱板
６ｅ  均熱板
１２  イオンブラシ
【図１】
2007160038.tif 000003
【図２】
2007160038.tif 000004
【図３】
2007160038.tif 000005
【図４】
2007160038.tif 000006
【図５】
2007160038.tif 000007
【図６】
2007160038.tif 000008